(57)【要約】      （修正有）【課題】操作の流れを簡略化するバーコード・スキャナーを提供する。【解決手段】一つのバーコード・スキャナー１と一つの数量回転台２を含み、該数量回転台がバーコード・スキャナーの表面に設置され、且つ該数量回転台の周辺の表面に一つの参照目盛３が設置される。該参照目盛が特定な数量、例えば”２”を代表するように予め設けられ、且つ該数量回転台を回転することにより、代表的な数量を増加する。これにより、ユーザーが品物の数量を確認した後まで、つまりスキャン前またはスキャン後に該数量回転台を回転することにより、正確な数量を入力し、品物の数量の統計データを正確に出力できる。このようにしたら、キャッシュレジスタ又はＰＯＳ機の上に数量を入力する必要がなく、操作の流れを簡略化する。【選択図】図２
0003151345.tif 000002
【実用新案登録請求の範囲】
【請求項１】
回転台式数量入力構造を具するバーコード・スキャナーは、一つのバーコード・スキャナーと一つの数量回転台を含み、該数量回転台が該バーコード・スキャナーの表面に設置され、且つ該数量回転台の中間に一つの確認キーが設置され、該数量回転台に一つの基準数値が予め設定され、更に時計回りまたは反時計回りに回転することにより該基準点に代表される数量を増加または減少するように設定し、該数量回転台を回転することにより、特定の数量を選定した後に確認キーを押し付けることにより、選択の数量を入力できることを特徴とする、回転台式数量入力構造を具するバーコード・スキャナー。
【請求項２】
該バーコード・スキャナーの上に、LCD又はLED数量ディスプレイが設置され、数量回転台の入力状態を表示するために用いられることを特徴とする、請求項1に記載の回転台式数量入力構造を具するバーコード・スキャナー。
【請求項３】
該数量回転台の下方に、内蔵ファンクション・キーを増設でき、入力または取消し等の機能を代表するために用いられることを特徴とする、請求項1に記載の回転台式数量入力構造を具するバーコード・スキャナー。
【考案の詳細な説明】
【技術分野】
【０００１】
本考案は、バーコード・スキャナーに関するもので、特にバーコード・スキャナーの上に数字回転台が設置され、且つ適当な配列またはプログラム可能なシミュレーション設計を行うことにより、ユーザーが簡単に操作して快速に少量多様化の品物をスキャンすることを可能とし、キャッシュレジスタ又はPOS機の上に数量を入力する動作および時間を低減し、更に不要な操作誤りも避け、決算の速度を増進できるバーコード・スキャナーの構造に関するものである。
【背景技術】
【０００２】
慣用のバーコード・スキャナー8の構成は、図6の示すように、一つのハンドル81と一つのバーコード・リーダー82を含む。該バーコード・リーダー82がハンドル81の前端に設置され、ユーザーがハンドル81を手持ちにし、且つバーコード・リーダー82にて一つのバーコードに近付き、該バーコード・リーダー82がその内部の光学センサー装置によりバーコードをピックアップし、その後ピックアップされたバーコードをデジタル・データとなるように識別し、更に予め設定されたデータ・ベースの内容と照合することにより、使用可能なデータを取得する。
【０００３】
前述の機能と操作方法により、品物の表面には品物データに関連するバーコード・ラベルを貼り付けると、ユーザーが該慣用のバーコード・スキャナー8を使用して該品物のデータを快速に読み取ることを可能とし、人工で判定する必要がなく、大幅に時間を節約する。特に多様化する品物の統計、例えばコンビニ小売業，倉庫管理，売場決算などの領域に対し、バーコード・スキャナー8が欠かせない。
【０００４】
然しながら、慣用のバーコード・スキャナー8は使用に当たり既に相当に長い歴史があるが、改良すべき点がある。それは圧倒的多数の研究開発工程が何れも光ピックアップ技術またはデータ・ベース・システムの改善である。そして慣用のバーコード・スキャナー8自身に向かない。
【０００５】
使用上の問題について、目前の慣用のバーコード・スキャナーは、2種類に分けることが出来る。1種類が一般な慣用のバーコード・スキャナーで、その他の種類が慣用のデータ収集機（棚卸し機）である。
【０００６】
慣用のバーコード・スキャナー8は、主として多様化する品物の統計に応用されるため、全ての品物に対し、理論的にバーコードを一つずつ読み取る必要があり、それが正確な動作となる。然しながら、同じ品物に対し、既にその数量を明確に識別できれば、時間を節約するために、品物のバーコードを読み取る前または後のみを必要とし、ユーザーがキャッシュレジスタ又はPOS機にキーボードにより品物の数量を直接に入力でき、つまり該品物の数量および関連するデータを簡単に計算できる。このような動作モードは、コンビニ小売業，売場での買物の時に最も気がつきやすいである。消費者が少量多様化の商品を購買する時に、レジ係がバーコードを一つずつ読み取るモードを採用すれば、更に多くの決算の時間を消費するだけではなく、且つショッピング・リストの上に呈するデータが密集して読み取りにくい。
【０００７】
然しながら、慣用のバーコード・スキャナー8は、数量を入力する設計がなく、品物の数量を設定する等の機能が慣用のバーコード・スキャナー8の後端に接続される電卓（キャッシュレジスタ）により行う。ユーザーが品物の数量を確認した後になっても、先ず慣用のバーコード・スキャナー8を下に置く必要があり、且つ電卓の上に数字キーを打ち、その後に更に再び慣用のバーコード・スキャナー8を持ち上げることにより、バーコードの読取りを行う。このような動作モードは、大体問題がなく、但し結局あまり不便となり、ユーザーの操作を妨げる。
【０００８】
そして慣用のデータ収集機（棚卸し機）は、棚卸しのために設計され、数字キーボードにより数量を入力できるが、但しロットのデータをダウンロードし且つファイルのデータを変換する必要があったら使用でき、使用上で小売業の売店またはコンビニの決算カウンターにおける少量多様化の動作方式に不向き、そして在庫または棚卸しの時のみに適用する。
【０００９】
故に創作者は、回転台式数量入力の構造を採用してバーコード・スキャナーの上に結合するように構想し、特に例えば小売業またはコンビニの業者の少量多様化の決算カウンターの使用に対する便利性ために、ユーザーの即時操作に寄与し、バーコード・スキャナーの下置き→POS機のキーボードによる数量の入力→更に再びバーコード・スキャナーの持ち上げの細々しい動作を、行う必要がなく、バーコード・スキャナーの使用率および使用率の決算速度も向上する。長期間の研究と検討を経って、ついに本考案の回転台式数量入力構造を具するバーコード・スキャナーを研究・開発して完成できたものである。
【考案の概要】
【考案が解決しようとする課題】
【００１０】
本考案の主要な目的は、即ち操作の流れを簡略化するバーコード・スキャナーを提供するもので、それがバーコードのスキャン効率を増進し、短時間内で少量多様化の品物の数量データを出力できることである。
【００１１】
本考案の他の目的は、即ち操作の信頼性を具するバーコード・スキャナーを提供するもので、それがユーザーの不要な身体動作、例えばバーコード・スキャナーの下置き，POS機またはキャッシュレジスタのキーボードによる数量の入力，更に再びバーコード・スキャナーの持ち上げを、低減し、人為的な操作誤りも減少できることである。
【００１２】
本考案の更に他の目的は、即ち操作の簡単なバーコード・スキャナーを提供するもので、それは、使用が簡単で理解しやすく、ユーザーが時間を費やして学習する必要がなく、更にいわゆる回転台式数量入力構造がユーザーの習慣に対応してファンクション・キーを設定し且つ回転方向，角度を調整することによりバーコード・スキャナーの使用効率を向上できるものである。
【課題を解決するための手段】
【００１３】
前述の目的を達成できる、回転台式数量入力構造を具するバーコード・スキャナーは、一つのバーコード・スキャナーと一つの数量回転台を含むが、該数量回転台がバーコード・スキャナーの表面に設置され、該数量回転台が回転する時に、その回転角度の変化を感応することにより、数量に代表される変化を決める。該数量回転台の前面に一つのディスプレイが設置され、該ディスプレイが目前の数量、例えば”2”〜”999”を表示する。そして該数量回転台が方向，角度を更に回転することにより、その数量に代表される増減変化を調整し、且つ該バーコード・スキャナーのディスプレイの上には、代表する数字を表示する。これにより、ユーザーが品物の数量を確認した後まで、つまりスキャン前またはスキャン後に該数量回転台を回転することにより、正確な数量を入力し、品物の数量の統計データを正確に出力できる。このようにしたら、キャッシュレジスタ又はPOS機の上に数量を入力する必要がなく、操作の流れを簡略化する。
【考案の効果】
【００１４】
本考案は、操作の流れを簡略化し、バーコードのスキャン効率を増進し、短時間内で少量多様化の品物の数量データを出力できる。
【００１５】
本考案は、ユーザーの不要な身体動作を低減でき、同時に人為的な操作誤りを減少できる。
【００１６】
本考案の使用が相当に簡単で、ユーザーが時間を費やして学習する必要がなく、且つユーザーの習慣に対応して操作方式を設定でき、バーコード・スキャナーの使用効率を大幅に向上できる。
【図面の簡単な説明】
【００１７】
【図１】本考案のバーコード・スキャナーの斜視図である。
【図２】本考案のバーコード・スキャナーの平面図である。
【図３】本考案のバーコード・スキャナーが内蔵ファンクション・キーを増加する構造模式図である。
【図４】本考案のバーコード・スキャナーが各数量回転台のLEDランプを増加する構造模式図である。
【図５】本考案のバーコード・スキャナーの使用例の図である。
【図６】従来のバーコード・スキャナーの使用例の図である。
【考案を実施するための形態】
【００１８】
[実施例]
図1、図2を参照するが、これらが本考案の提供する、回転台式数量入力構造を具するバーコード・スキャナーで、主として一つのバーコード・スキャナー1、該バーコード・スキャナー1の表面に設置された一つの数量回転台2、と一つのLCD又はLED数量ディスプレイ7を含んでなる。
【００１９】
該バーコード・スキャナー1は、市場上の慣用のタイプであってもよく、ここに説明を省略する。本考案の特徴が、即ち数量回転台2の設計にある。
【００２０】
該数量回転台2が該バーコード・スキャナー1の表面に設置され、且つ該数量回転台2の周辺の表面に参照目盛3が設置され、本実施例が時計の目盛を基準と見なすことにより、普通の人の認識に合致し、適応と学習の時間を減少し、勿論その他の目盛基準も採用できる。そして該数量回転台2の中間に確認キー（Enter□）4を増設できることにより、品物の数量を確認する。該LCD又はLED数量ディスプレイ7が該バーコード・スキャナー1の表面における可視位置、例えば数量回転台2の前方空間に設置されることにより、即時にスキャンした数量を表示する。
【００２１】
これにより、該バーコード・スキャナー1の使用方式が下記の通りである。
【００２２】
1.必要な入力数量が一つである時に、慣用のバーコード・スキャナー1の使用方式と同様に数量回転台2又は確認キー4を回転する必要がなく、そして該バーコード・スキャナー1によりバーコードを直接にスキャンすることが出来る。
【００２３】
2.必要な入力数量が二つである時に、確認キー4を直接に押え付けることが出来、数量回転台2を回転する必要がなく、確認キー4の開始設定数値が2である。
【００２４】
3.該参照目盛3は、2時の位置が開始の数量を代表し、該数量回転台2に基準数値が設けられ、且つ時計回りまたは反時計回りに回転することにより該表示の数量を増加または減少するように設定する。例えば本実施例は、2時の位置を基準とし、時計回りであれば、該2時の位置に代表される数値が”2”で、且つ毎度1目盛を回転する時に、数量が”1”を加え、或いは反時計回りであれば、該2時の位置に代表される数値が”14”で、且つ毎度1目盛を回転する時に、数量が”1”を減らす。
【００２５】
4.前述の説明により、必要な入力数量が二つ以上のように多くなる時に、該数量回転台2を軽く触り、2時の位置を開始位置とし、且つ時計回りに1目盛を回転すれば、”1”を加え、開始数量が”2”から ”3”に変更し、これにより推測する。
【００２６】
5.数量がより多くなる時に、同様に数量回転台2を軽く触り、2時の位置を開始位置とし、且つ反時計回りに1目盛を回転すれば、”1”を減らし、開始数量が”14”から ”13”に変更でき、これにより推測する。
【００２７】
6.前述の回転過程中で、時計回りまたは反時計回りに関わらず、何れも逆方向の回転により、数量がプラスからマイナスに、又はマイナスからプラスに変更できる。
【００２８】
その他に偶に大数量を入力する必要がある時に、本考案は、図3に示すように、該バーコード・スキャナー1の上に四つの内蔵ファンクション・キー51，52，53，54を別途設け、該ファンクション・キー5が、それぞれ数量回転台2の”3時”，”6時”，”9時”，”12時”の下方に、個別に1桁数調整キー，10桁数調整キー、100桁数調整キーと削除キーが設置され、例えば”3時”の内蔵ファンクション・キー51が1桁数調整で、”6時”の内蔵ファンクション・キー52が10桁数調整で、”9時”の内蔵ファンクション・キー53が100桁数調整である。
【００２９】
例えばユーザーが数量回転台2の”9時”の位置を下向きに押え付け且つ数量回転台2を回転する時に、この時に内蔵ファンクション・キー53の機能がトリガーすれば、100桁数の数字が直接に加減でき（毎度1目盛を回転すれば100を加減）、ユーザーが100桁数を設定した後に、更に再び”6時”の10桁数内蔵ファンクション・キー52を押え付けることが出来、その後回転台を利用して10桁数（毎度1目盛を回転すれば10を加減）を調整し、更に再び”3時”の1桁数内蔵ファンクション・キー51を押え付けることが出来、1桁数（毎度1目盛を回転すれば1を加減）を調整し、調整を完成した後に、確認キー4を直接に押え付けることが出来る。ユーザーが調整された数量を削除しようとすれば、”12時”の内蔵ファンクション・キー54に隠された削除キーの機能を抑制でき、そして該LCD又はLED数量ディスプレイ7の表示が零に戻り、前述の内蔵ファンクション・キー51，52，53，54が自動的に初めの設定の数量調整に回復する。
【００３０】
その他に該LCD又はLED数量ディスプレイ7以外に、本考案も、図4に示すように、該バーコード・スキャナー1の上にLEDランプ6を設置でき、該LEDランプ6が参照目盛3に対応して12粒を設置し、時計と結合する方式により配置する。更に該LEDランプ6が点灯，フリッカ，消灯または色の方式により数値を表示するが、本実施例が24の数量に達することを可能とする。
【００３１】
これにより、入力した数値が三つ以上である時に、時計回りの指標の▽箇所または予め設定された”2時”の位置より、時計回りに回転し始め、開始値が”2”で、毎度1目盛を回転すれば、”1”を加え、時計回りに1目盛を回転する時に、”3時”の上におけるLEDランプ6が点灯する。開始値が反時計回りであれば、その開始値が”14”で、反時計回りに1目盛を回転する時に、”1”を減らして”13”となり、この時に”1時”の上におけるLEDランプ6がフリッカし、残りがこれにより推測され、最小値が”1”であるが、確認キーを下向きに押え付けるまで、点灯のLEDランプ6が消灯となる。各LEDランプ6の表示方式は、”1”〜”12”が点灯し、”13”〜”24”がフリッカし、或いは”1”〜”12”が赤となり、”13”〜”24”が緑となることを可能とする。
【００３２】
前述の数量回転台2自身は、押え付けの機能を具することにより、入力された数量を代表する。そして該数量回転台2の回転間隔が機械式（接触），光学式（グリッド）又は磁力式にて感応を行うことにより、その代表する数量を確定する。更に該数量回転台2にステッピング構造が設置され、常用するのは、係止，点接の方式により、該数量回転台2が回転する時に、係止と点接の係止動作を感じることを可能とし、これにより、該数量回転台2が定点方式にて回転する機能を生成する。ただ前述の各機能は、何れも既存の成熟する技術だけで、本考案をより制限するための機能ではなく、ここに説明を省略する。
【００３３】
以上の詳細な説明は、本考案に対する実行可能な実施例の具体的な説明で、ただ該実施例が本考案の実用新案登録請求の範囲を限定するために用いられるわけではなく、如何なる本考案の技術精神をまだ脱逸しない等価な実施または変更が何れも本考案の実用新案登録請求の範囲中に含まれるべきである。
【符号の説明】
【００３４】
1、8  バーコード・スキャナー
2  数量回転台
3  参照目盛
4  ファンクション・キー
6  LEDランプ
7  LCD又はLED数量ディスプレイ
51〜54  内蔵ファンクション・キー
81  ハンドル
82  バーコード・リーダー
【図１】
0003151345.tif 000003
【図２】
0003151345.tif 000004
【図３】
0003151345.tif 000005
【図４】
0003151345.tif 000006
【図５】
0003151345.tif 000007
【図６】
0003151345.tif 000008